(57)【要約】  【課題】  フォーマット、容量、規格、メーカーなどの表示を容易に識別でき、且つ不当に識別ラベルが張り替えられたりして、不当な再表示されたりすることのないメモリカードを提供する。  【解決手段】  本考案のメモリカードは、ハウジングと、該ハウジングと一体に形成され、メモリカードのフォーマット、規格、容量、標章などを表示する表示部とを含んでなる。【選択図】  図２
0003113118.tif 000002
【実用新案登録請求の範囲】
【請求項１】
ハウジングと、該ハウジングと一体に形成され、メモリカードのフォーマット、規格、容量、標章などを表示する表示部とを含んでなることを特徴とするメモリカード。
【請求項２】
前記表示部が該ハウジングの表面に点状の微細な凹溝を密集させて形成するか、刳り貫いて形成するか、もしくは凹溝で形成されることを特徴とする請求項１に記載のメモリカード。
【考案の詳細な説明】
【技術分野】
【０００１】
この考案は、メモリカードに関し、特に意図的に識別ラベルを張り替えたりして、不当な再表示する行為を防ぐメモリカードに関する。
【背景技術】
【０００２】
科学技術の進歩と、情報産業の発達にともない、電子製品の発展には日進月歩の感がある。その中に在ってメモリカードは、目下最も便利なデータ保存用製品となっている。メモリカードの使用範囲はかなり広く、ディジタルカメラ、ディジタルビデオカメラなどのハイテク機器に応用されている。
【０００３】
市場におけるメモリカードの規格は統一されておらず、各メーカーで異なっている。また、フォーマットの大きさにより各種異なるメモリカードが販売されている。例えばＸＤ、MMSD、ＳＤ、ＭＭＣなどのメモリカードは、薄くて軽く、小さいだけでなく、互換性が高い、コストが安い、保存容量が大きい、伝達速度が速い、機密性など多くの特性を具えている。
【０００４】
目下、市販されているメモリカードは種類が極めて多い。これらメモリカードのほとんどは、ハウジングにブランド、フォーマット、規格などを印刷したラベルを貼着するか、もしくはホッとスタンプ、プリントなどの方式で直接表示している。
【０００５】
図１にメモリカード本体１０のハウジング表面に識別ラベル２０を貼着した従来のＳＤカードを開示する。識別ラベル２０にはＳＤカードであることを表す文字と、容量が印刷されている。但し、識別ラベルには、さらにロゴ、シンボルマーク等を印刷して、消費者の購買したメモリカードのフォーマット、容量以外に、製造元メーカー等をはっきりと表示するようにしてもよい。
【０００６】
しかしながら、メモリカードの識別表示は、通常図１に開示するようにメモリカード本体１０に識別ラベル２０を貼着するか、ホットスタンプ、スクリーン印刷で直接印刷する。このため、長期間使用すると表示が容易に剥がれたり、破損したりする。このため消費者がメモリカードを識別することが難しくなる。さらに、不当な業者によって本来のメーカーの識別ラベル２０が意図的に剥がされ、他の識別ラベル２０に張り替えられる場合もある。このような場合、消費者の権益を損ねるのみならず、本来のメーカーにとっても多大な損失を蒙ることになる。
【考案の開示】
【考案が解決しようとする課題】
【０００７】
この考案は、消費者が購入する際にフォーマット、容量、規格、メーカーなどの表示を容易に識別でき、且つ不当に識別ラベルが張り替えられたり、再表示されたりすることのないメモリカードを提供することを課題とする。
【課題を解決するための手段】
【０００８】
そこで本考案者は、従来の技術に鑑み鋭意研究を重ねた結果、ハウジングと、該ハウジングと一体に形成され、メモリカードのフォーマット、規格、容量、標章などを表示する表示部とを含んでなるメモリカードの構造によって課題を解決できる点に着眼し、係る知見に基づき本考案を完成させた。
以下、この考案について具体的に説明する。
【０００９】
請求項１に記載するメモリカードは、ハウジングと、該ハウジングと一体に形成され、メモリカードのフォーマット、規格、容量、標章などを表示する表示部とを含んでなる
【００１０】
請求項２に記載するメモリカードは、前記表示部が該ハウジングの表面に点状の微細な凹溝を密集させて形成するか、刳り貫いて形成するか、もしくは凹溝で形成される。
【考案の効果】
【００１１】
本考案のメモリカードは、消費者が購入する際にフォーマット、容量、規格、メーカーなどの表示を容易に識別でき、且つ意図的に識別ラベルを張り替えたりして、不当な再表示されることがないという利点がある。
【００１２】
また本考案のメモリカードは、ハウジングに識別ラベルを貼着したり、ホットプリントやスクリーン印刷で直接ハウジングに表示したりする必要がないため、製造コストを節減するとともに、ハウジングに識別ラベルを貼着したり、ホットプリントやスクリーン印刷で直接ハウジングに表示したりする過程において、メモリカードのハウジングが傷ついたり、汚れたりすることを防ぐという利点を有する。
【考案を実施するための最良の形態】
【００１３】
この考案は、メモリカードに関するものであって、ハウジングと、該ハウジングと一体に形成され、メモリカードのフォーマット、規格、容量、標章などを表示する表示部とを含んでなるメモリカードの構成によって、フォーマット、容量、規格、メーカーなどの表示を容易に識別でき、且つ意図的に識別ラベルが張り替えられたり、不当な再表示がされたりすることのないメモリカードを提供するという目的を達成するものである。
係る構成の偽造防止構造を有するメモリカードについて、その構造と特徴を詳述するために具体的な実施例を挙げ、以下に説明する。
【実施例】
【００１４】
本考案によるメモリカードを図２に開示する。本考案によるメモリカードはメモリカード本体１０のハウジング表面上に表示部３０を直接成型する。表示部３０によって、メモリカードのフォーマット、規格、容量、標章やロゴ、もしくは其の他文字など表示する。図面にはメモリカードのフォーマットを表示した例を開示する。表示部３０には、メモリカード本体１０の外ハウジング上に直接凸出して形成され、メモリカードのフォーマットを表示する。但し、フォーマットの表示以外に、容量の大きさを直接外ハウジング表面上に表示することもできる。更にはメーカーなどの標章を表示してもよい。
【００１５】
本考案のメモリカードは、メモリカード本体１０を形成する場合、表示部３０をハウジングとを一体に形成する。このためメモリカード本体１０の成形が完成すると、同時にメモリカードのフォーマット、規格、容量、もしくはメーカー等が表示部３０に表示される。係る方式は、ハウジングに識別ラベルを貼着したり、ハウジングに二次加工を行ったりする工程に替わるものである。即ち、別途ハウジングに識別ラベルを貼着したり、ハウジングに直接印刷したりする必要がないため、成形したハウジングにフォーマット、規格、容量、もしくはメーカー等の表示を行う作業において、作業のミスを未然に防ぐことができ、製造コストを節減することができる。同時に、従来の技術に見られるように識別ラベル、もしくは直接印刷した表示部のインクが剥がれて表示が難しくなるといった欠点を改善することができる。さらには、意図的に張り替えられたりして、不当な再表示がされることを防ぐことができる。
【００１６】
また、表示部３０はメモリカード本体１０のハウジング表面に凸出するように形成する以外に、点状の微細な凹溝を密集させて形成するか、もしくは刳り貫いて形成してもよい。また、図３に開示するように凹溝で表示部３０を形成してもよい。
【００１７】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００１８】
【図１】従来の識別ラベルを貼着したメモリカードの斜視図である。
【図２】この考案によるメモリカードの斜視図である。
【図３】他の実施形態による表示部を形成したメモリカードの斜視図である。
【符号の説明】
【００１９】
１０  メモリカード本体
２０  識別ラベル
３０    表示部
【図１】
0003113118.tif 000003
【図２】
0003113118.tif 000004
【図３】
0003113118.tif 000005